(57)【要約】【課題】折畳まれたシートを１枚ずつ収納箱から順次取出すことができるシート収納箱を提供する。また、商品を運搬、販売する過程で取出口用として形成されている裂開用ミシン目が裂開することの無いシート収納箱を提供する。【解決手段】内部に複数の折畳まれたシートの積層体を収納すると共に、その上面に各シートを順次取出すシート取出用長穴開口部を長穴開口部の長辺とシート折畳方向とを平行に形成してなる筐体形状のシート収納箱において、前記長穴開口部の形状に沿って裂開用ミシン目が形成されており、該ミシン目の垂直荷重による裂開強度が特定の範囲である収納箱。長穴開口部からシートを取出す際にシートが長穴開口部と摺接する部分の形状を弧状に形成すると共に前記弧状部分の中央部に切欠部を設けてなるシート収納箱が好ましい。【選択図】図１
2005119728.tif 000002
【特許請求の範囲】
【請求項１】
内部に複数の折畳まれたシートの積層体を収納すると共に、その上面に各シートを順次取出すシート取出用長穴開口部を形成する裂開用ミシン目を長穴開口部の長軸とシート折畳方向とを平行に形成してなるシート収納箱において、該ミシン目の垂直荷重による裂開強度が４．９０〜２４．５２Ｎの範囲であることを特徴とするシート収納箱。
【請求項２】
長穴開口部を形成する裂開用ミシン目の形状が略菱形であり、該ミシン目の長対角線とシート折畳方向とを平行に形成してなる請求項１に記載のシート収納箱。
【請求項３】
長穴開口部を形成する裂開用ミシン目の形状が略楕円形であり、該長穴開口部の長軸とシート折畳方向とが平行に形成されてなり、該長穴開口部からシートを取出す際にシートが長穴開口部と摺接する部分の形状を弧状に形成すると共に前記弧状部分の中央部に切欠部を設けてなる請求項１に記載のシート収納箱。
【請求項４】
裂開用ミシン目が裂開方向に沿って順次下記（１）から（３）の各部、
（１）長穴開口部の長軸方向の開口長さが裂開方向に沿って漸増する拡大部、
（２）長穴開口部の長軸方向の開口長さが裂開方向に沿って漸増から漸減に変わる遷移部、
（３）長穴開口部の長軸方向の開口長さが裂開方向に沿って漸減する縮小部、
により形成されている請求項３に記載のシート収納箱。
【請求項５】
裂開方向と裂開用ミシン目の裂開方向に向けた接線とのなす角度（θ）が、下記（４）から（６）、
（４）拡大部において角度（θ）が３０〜９０度、
（５）遷移部において角度（θ）が０〜３０度、
（６）縮小部において角度（θ）が３０〜９０度、
に示す範囲である請求項４に記載のシート収納箱。
【請求項６】
拡大部において裂開用ミシン目が裂開強度９．８０〜１９．６２Ｎの二重ミシン目及びそれに続くカギ型ミシン目であり、遷移部において裂開用ミシン目が裂開強度１１．７６〜２４．５２Ｎの二重ミシン目であり、縮小部において裂開用ミシン目が裂開強度９．８０〜１９．６２Ｎのカギ型ミシン目である請求項４に記載のシート収納箱。
【請求項７】
開口部の一端に裂開開始用のつまみ部が形成され、他端にヒンジ部が形成されている請求項４に記載のシート収納箱。
【請求項８】
ヒンジ部の形状に沿って一重のミシン目が施されている請求項７に記載のシート収納箱。
【発明の詳細な説明】
【技術分野】
【０００１】
本発明は、折畳まれたシートの収納箱に関する。更に詳述すれば、折畳まれた不織布シート、織布シート、紙シート等のシートを１枚ずつ収納箱から順次取出すことができ、裂開により開口可能な開口部を設けたシート収納箱に関する。
【背景技術】
【０００２】
シート積層体収納箱は、例えばティッシュペーパーの収納箱として広く利用されている。これらの収納箱では、ティッシュペーパーを１枚ずつ順次取出せるものが種々提案されている（特許文献１、特許文献２、特許文献３、特許文献４、特許文献５）。
【０００３】
しかしながら、これら提案の収納箱は、シート同士の滑り角度試験法における滑り角度の低いもの（例えば、２０度未満）の収納に対しては有効であるが、シート同士の滑り角度試験法における滑り角度が大きいものの収納に対してはうまく機能しない。即ち、これら提案のような従来の収納箱では、シートを１枚だけ取出そうとしても２枚以上連なって取出されてしまい、使用上不具合が生じる。
【０００４】
また、内部にシートを収納した収納箱を商品として運搬、販売する過程で収納箱に形成されている取出口用ミシン目の一部が裂開して開封されてしまうことがあり、商品価値を損ずる。
【特許文献１】：実開昭５７−１１００８１号公報
【特許文献２】：実開平０４−０５４２９４号公報
【特許文献３】：実開平０４−０８０８７８号公報
【特許文献４】：特開平０９−３２３７７０号公報
【特許文献５】：実開昭４８−０８７２２７号公報
【発明の開示】
【発明が解決しようとする課題】
【０００５】
本発明は上記事情に鑑みなされたもので、その目的とするところは、折畳まれたシートを１枚ずつ確実に収納箱から順次取出すことができるシート収納箱を提供することにある。また、本発明の他の目的は内部にシートを収納した収納箱を商品として運搬、販売する過程で取出口用として形成されている裂開用ミシン目が裂開することの無いシート収納箱を提供することにある。
【課題を解決するための手段】
【０００６】
上記課題を解決する本発明は以下に記載するものである。
【０００７】
〔１〕  内部に複数の折畳まれたシートの積層体を収納すると共に、その上面に各シートを順次取出すシート取出用長穴開口部を形成する裂開用ミシン目を長穴開口部の長軸とシート折畳方向とを平行に形成してなるシート収納箱において、該ミシン目の垂直荷重による裂開強度が４．９０〜２４．５２Ｎの範囲であることを特徴とするシート収納箱。
【０００８】
〔２〕  長穴開口部を形成する裂開用ミシン目の形状が略菱形であり、該ミシン目の長対角線とシート折畳方向とを平行に形成してなる〔１〕に記載のシート収納箱。
【０００９】
〔３〕  長穴開口部を形成する裂開用ミシン目の形状が略楕円形であり、該長穴開口部の長軸とシート折畳方向とが平行に形成されてなり、該長穴開口部からシートを取出す際にシートが長穴開口部と摺接する部分の形状を弧状に形成すると共に前記弧状部分の中央部に切欠部を設けてなる〔１〕に記載のシート収納箱。
【００１０】
〔４〕  裂開用ミシン目が裂開方向に沿って順次下記（１）から（３）の各部、
（１）長穴開口部の長軸方向の開口長さが裂開方向に沿って漸増する拡大部、
（２）長穴開口部の長軸方向の開口長さが裂開方向に沿って漸増から漸減に変わる遷移部、
（３）長穴開口部の長軸方向の開口長さが裂開方向に沿って漸減する縮小部、
により形成されている〔３〕に記載のシート収納箱。
【００１１】
〔５〕  裂開方向と裂開用ミシン目の裂開方向に向けた接線とのなす角度（θ）が、下記（４）から（６）、
（４）拡大部において角度（θ）が３０〜９０度、
（５）遷移部において角度（θ）が０〜３０度、
（６）縮小部において角度（θ）が３０〜９０度、
に示す範囲である〔４〕に記載のシート収納箱。
【００１２】
〔６〕  拡大部において裂開用ミシン目が裂開強度９．８０〜１９．６２Ｎの二重ミシン目及びそれに続くカギ型ミシン目であり、遷移部において裂開用ミシン目が裂開強度１１．７６〜２４．５２Ｎの二重ミシン目であり、縮小部において裂開用ミシン目が裂開強度９．８０〜１９．６２Ｎのカギ型ミシン目である〔４〕に記載のシート収納箱。
【００１３】
〔７〕  開口部の一端に裂開開始用のつまみ部が形成され、他端にヒンジ部が形成されている〔４〕に記載のシート収納箱。
【００１４】
〔８〕  ヒンジ部の形状に沿って一重のミシン目が施されている〔７〕に記載のシート収納箱。
【発明の効果】
【００１５】
本発明のシート収納箱は、上述のように裂開用ミシン目の垂直荷重による裂開強度を特定の範囲としているので、内部にシートを収納した収納箱を商品として運搬、販売する過程で取出口用として形成されている裂開用ミシン目が裂開し開封されることを防止できる。
【００１６】
また、本発明のシート収納箱は、シート取出用長穴開口部を所定の形状に構成しているので、収納箱中の不織布シートや織布シート、紙シートを１枚ずつ確実に取出せる。
【００１７】
また、本発明のシート収納箱は従来、収納箱の取出し口に設けられていたシート取出しスリットを形成した樹脂フィルム等を用いる必要が無く、製造コストを低減でき、使用する資源量を低減できる。また、使用後廃棄する際に分別処理を不要となるので、資源の再使用性に優れる。
【００１８】
本発明のシート収納箱は、清掃用シート等の不織布シート、調理用シート等の織布シート、ティッシュペ−パー等の紙シートの収納箱として有用である。特に、不織布シートや織布シートのように滑り角度が高い（例えば３０度以上）シートの収納箱として有用である。
【００１９】
本発明のシート収納箱は、一旦取出したシートを収納箱に容易に戻せる。
【発明を実施するための最良の形態】
【００２０】
以下、本発明を詳細に説明する。
【００２１】
図１は、本発明のシート収納箱１の上面形状の一例を示す平面図である。図１で、１１はシートの取出用長穴開口部（開口後は開口蓋となる）で略楕円形の長軸を収納箱１の長さ方向と一致させて形成されている。この開口部は後述するように開口部１１の形状に沿って予め形成した裂開用ミシン目６６を裂開することにより形成できる。１３は収納されているシートである。１５、１７はそれぞれシート１３を取出す際にシート１３が長穴開口部と摺接する弧状部分である。前記弧状部分１５，１７には収納箱１の幅方向外方に向って切欠部２１、２３がそれぞれ形成されている。前記弧状部分１５、１７に切欠部２１、２３を形成することにより、弧状部分１５、１７に肩部３１、３３、３５、３７が形成される。この肩部３１、３３、３５及び３７はそれぞれシートを取出す際にシート１３と長穴開口部１１との摺接抵抗を増す。
【００２２】
ＢＬは収納箱１の長手方向の長さ（２８５ｍｍ）、ＢＷは収納箱１の幅方向の長さ（１２６ｍｍ）、ＣＬは二つ折りにされたシート１３の折畳部１９の長手方向の長さ（２７６ｍｍ）、ＣＷは二つ折りにされたシート１３の幅方向の長さ（１２０ｍｍ）、ＭＬは開口部１１の長手方向の最大長さ（２１０ｍｍ）、ＭＷは開口部１１の幅方向の最大長さ（８５ｍｍ）、ＳＬ１は開口部１１の一方の切欠部２１の長手方向長さ（７０ｍｍ）、ＳＬ２は他方の切欠部２３の長手方向長さ（６５ｍｍ）、ＤＷ１は開口部１１の一方の切欠部２１の幅方向長さ（１５ｍｍ）、ＤＷ２は開口部１１の他方の切欠部２３の幅方向長さ（１５ｍｍ）である。
【００２３】
上記収納箱１の上面には予め開口部１１の形状に沿って裂開強度が４．９０〜２４．５２Ｎの範囲の裂開用ミシン目６６が施されている。但し、前記切欠部２３の外方向ヒンジ部２５にはヒンジ用ミシン目６８が施されている。使用するに当っては、裂開用ミシン目６６を切開いて（『裂開』ともいう）、前記ヒンジ部２５で上方に折返すことにより、開口部１１を形成すると共に、切開いた部分を後述する開口蓋２７として利用できる。
【００２４】
図１における、ａ−ａ線に沿った断面図の一例（シートを二つ折りに折畳んで収納した例）を図２及び図３に示す。図２において、４０ａは収納箱１から取出されつつあるシートである。４０ｂは４０ａの次に取出されるべきシートである。シート４０ａは、収納箱１の開口部１１の肩部３５、３７と摺接している。この肩部３５、３７は、シートを取出す際にシート４０ａと長穴開口部１１との摺接抵抗を増すために機能する。
【００２５】
図３において、４０ａは既に取出されたシートであり、４０ｂはシート４０ａの次に取出されるべきシートである。シート４０ｂは、収納箱１の開口部１１の肩部３１、３３と摺接している。この肩部３１、３３がシートを取出す際にシート４０ｂと長穴開口部１１との摺接抵抗を増すために機能する。この機能により、シート４０ｂは、シート４０ａに引づられて取出されること無く、収納箱１内に留まることができる。
【００２６】
尚、図２、図３におけるＢＨは収納箱の高さ（６５ｍｍ）である。また、シートは、シート同士の滑り角度が４１．２度のものである。
【００２７】
尚、本発明の一例を上記の通り説明したがこれに限らず、本発明は下記するものであることができる。
【００２８】
本発明において、開口部１１の長手方向の最大長さＭＬは、シート折畳部１９の長手方向の長さＣＬの６０〜８０％であることが好ましい。この割合が８０％を超えると収納箱１からシート１３を１枚ずつ取出そうとした際に、シートが２枚以上連なって取出されてしまうことがある。一方、この割合が６０％未満であると、収納箱１からシート１３を１枚ずつ取出す際に、シートが取出し難い。
【００２９】
本発明において、開口部１１の切欠部の長手方向長さＳＬ１及び.／又はＳＬ２は、シート折畳部１９の長手方向の長さＣＬの１０〜６０％であることが好ましい。この割合が６０％を超えると、若しくは１０％未満であると、収納箱１からシート１３を１枚ずつ取出そうとする際に、シートが２枚以上連なって取出されてしまうことがある。
【００３０】
本発明において、開口部の幅方向の最大長さＭＷは、シート折畳部の幅方向の長さＣＷの１５〜７０％であることが好ましい。この割合が７０％を超えると収納箱からシートを１枚ずつ取出そうとした際に、シートが２枚以上連なって取出されてしまうことがある。一方、この割合が１５％未満であると、収納箱からシートを１枚ずつ取出そうとした際に、シートが取出し難い。また、この割合が１５％未満であると、一旦取出したシートを開口部から収納箱内に収納することが難しくなる。特に、開口部を切開いた部分を開口蓋として使用する場合、シートを開口部から収納箱内に収納することが難しくなる。上記理由から、開口部の幅方向の最大長さＭＷは、シート折畳部の幅方向の長さＣＷの３０〜７０％であることが特に好ましい。
【００３１】
本発明において、開口部の切欠部の幅方向の長さＤＷ１及び／又はＤＷ２は、シート折畳部の幅方向の長さＣＷの５〜３０％であることが好ましい。この割合が３０％を超えると収納箱からシートを１枚ずつ取出そうとした際に、シートをスムースに取出せないことがある。一方、この割合が５％未満であると、収納箱からシートを１枚ずつ取出そうとした際に、シートが２枚以上連なって取出されてしまうことがある。
【００３２】
図１における、ａ−ａ線に沿った断面図の他の例（シートを三つ折りに折畳んで収納した例）を図４及び図５に示す。図４において、５０ａは収納箱１から取出されつつあるシートである。５０ｂはシート５０ａの次に取出されるべきシートである。シート５０ａは、収納箱１の開口部１１の肩部３１、３３で図示したように摺接している。この肩部３１、３３は、シートを取出す際にシートと長穴開口部１１との摺接抵抗を増すために機能する。
【００３３】
図５において、５０ａは既に取出されたシートであり、５０ｂはシート５０ａの次に取出されるべきシートを示す。シート５０ｂは、収納箱１の開口部１１と肩部３１、３３で図示したように摺接している。この肩部３１、３３がシートを取出す際にシートと長穴開口部１１との摺接抵抗を増すために機能する。この機能により、シート５０ｂは、シート５０ａに引張られて取出されること無く、収納箱１内に留まることができる。
【００３４】
シートが三つ折（Ｚ折りともいう）の場合は、シートを取出す際の収納箱１の開口部１１とシートとの摺接箇所は常時収納箱の片側のみになる。従って、収納されるシート積層体が三つ折の場合は、開口部の切欠が長辺方向の片方のみでも良い。図６、７にシートが三つ折の場合の収納箱の開口部１１の形状の他の例を示す。
【００３５】
図８は、図１の収納箱１の裂開用ミシン目６６を切開する前の平面図、図９は裂開用ミシン目６６を切開して開口蓋２７をヒンジ部２５で上方に折返した平面図を示す。図１０は、図８中のｂ−ｂ線に沿った断面図を示す。尚、ヒンジ部２５には折返しを容易にするための粗いミシン目が施されていてもよい。
【００３６】
図８において、裂開用ミシン目６６を切開して開口蓋２７をヒンジ部２５で折返すことにより、収納箱１に開口部１１が形成される。開口蓋２７のヒンジ部２５と対向する側には、略半円状の摘み部６１が形成されている。前記摘み部６１には、外方に突出して小径半円状に切抜かれ、これにより掛止片６３が形成されている。半円状の掛止片６３の直径に沿う折曲部６４で摘み部６１を上方に折曲げることにより、前記掛止片６３が開口蓋２５の下方に突出される。図９において、８１は収納箱１の糊代部７９に半円状に打抜いて形成した掛止口である。前記掛止片６３を掛止口８１に係合させることにより、開口蓋２７を収納箱１に固定できる。図１０は、掛止片６３を掛止口８１に係合させた状態を示している。
【００３７】
更に、本発明の他の一例を詳細に説明する。
【００３８】
図１１は、本発明のシート収納箱１の上面に形成されたミシン目の形状の一例を示す平面図である。図１１で、１１は長穴開口部、２５はヒンジ部、２７は開口蓋、３１及び３３は肩部、６１は摘み部、６３は掛止片、６４折曲部、６６裂開用ミシン目、６８ヒンジ用ミシン目である。
【００３９】
図１１で裂開用ミシン目６６の裂開を長穴開口部の摘み部６１からヒンジ部２５の方向（裂開方向）に沿って行う際に、（１）長穴開口部の長軸方向の開口長さが裂開方向に沿って漸増する拡大部、（２）長穴開口部の長軸方向の開口長さが裂開方向に沿って漸増から漸減に変わる遷移部、（３）長穴開口部の長軸方向の開口長さが裂開方向に沿って漸減する縮小部の各部分が裂開方向に沿って開口蓋２７に順次形成されている。
【００４０】
上記裂開方向と裂開用ミシン目６６の裂開方向に向けた接線とのなす角度（θ）は、開口蓋の拡大部において３０〜８０度、遷移部において０〜３０度、縮小部において３０〜８０度である。
【００４１】
裂開用ミシン目は拡大部の前半（裂開開始から肩部３１、３３迄）において平均裂開強度１７．６５Ｎの二重ミシン目であり、拡大部の後半において平均裂開強度１７．６５Ｎのカギ型ミシン目である。遷移部のミシン目は、平均裂開強度２０．５９Ｎの二重ミシン目である。縮小部のミシン目は、平均裂開強度１８．６３Ｎのカギ型ミシン目である。
【００４２】
図１１におけるＰ（拡大部前半の一部）、Ｑ（拡大部後半の一部）、Ｒ（遷移部の一部）及びＳ（縮小部の一部）の各部の裂開用ミシン目形状を示す拡大図を、図１２、図１３、図１４及び図１５に示す。図１２、図１３図１４及び図１５で、Ｃはミシン目カット部分長さ、Ｔはミシン目タイ部分長さである。図１２及び図１４でＣｏ、Ｔｏはそれぞれ二重ミシン目の外側ミシン目のカット部分長さ、タイ部分長さである。
【００４３】
拡大部前半の二重ミシン目は、Ｔが２ｍｍ、Ｃが７ｍｍ（タイ：カット比（Ｔ：Ｃ）２：７）、Ｔｏが８ｍｍ、Ｃｏが１ｍｍ、（タイ：カット比（Ｔｏ：Ｃｏ）８：１）の千鳥配置である。拡大部後半のカギ型ミシン目は、Ｔが２ｍｍ、Ｃが７ｍｍ（タイ：カット比（Ｔ：Ｃ）２：７）である。遷移部の二重ミシン目は、Ｔが１．５ｍｍ、Ｃが３ｍｍ（タイ：カット比（Ｔ：Ｃ）１：２）、Ｔｏが３ｍｍ、Ｃｏが１．５ｍｍ、（タイ：カット比（Ｔｏ：Ｃｏ）２：１）の千鳥配置である。縮小部のカギ型ミシン目は、Ｔが１．５ｍｍ、Ｃが１３．５ｍｍ（タイ：カット比（Ｔ：Ｃ）１：９）である。ヒンジ部は、折り曲げ易く裂開しない程度のものとするため、Ｔが１０ｍｍ、Ｃが１０ｍｍのミシン目が施されている。
【００４４】
尚、本発明の一例を上記の通り説明したがこれに限らず、本発明は下記するものであることができる。
【００４５】
拡大部において前半は、裂開方向とミシン目の裂開方向に向けた接線とのなす角度（以下、『θ』という）が３０〜６０°程度でθが比較的小さい。このため裂開がミシン目から逸れる傾向が少なく、図１２に示した形状の二重ミシン目とすることが好ましい。二重ミシン目は、内側にカット長の長いミシン目、外側にカット長の短いミシン目を形成させることが裂開の逸脱を防止できるので好ましい。拡大部前半のミシン目の裂開強度（以下、単に『裂開強度』という）はやや強めの９．８０〜１９．６２Ｎにすることが好ましい。拡大部前半における裂開強度が９．８０Ｎ未満であると、内部にシートを収納した収納箱を商品として運搬、販売する過程でミシン目の裂開が生じることがある。一方、拡大部前半における裂開強度が１９．６２Ｎを超えると裂開のミシン目からの逸脱が生じることがある。上記理由により、拡大部前半の裂開強度は、１５．６９〜１９．６２Ｎ程度が特に好ましい。裂開強度の調節はミシン目のタイ：カット比及び／又はタイ・カットの長さを変えることにより実施できる。拡大部前半における二重ミシン目は、Ｔが２±０．５ｍｍ、Ｃが７±０．７ｍｍ、Ｔｏが８±０．８ｍｍ、Ｃｏが１±０．２ｍｍであることが好ましい。
【００４６】
拡大部の後半は、θが６０〜８０°程度でθが大きい。このため、裂開がミシン目から逸れる傾向が大きく、図１３に示した形状のカギ型ミシン目とすることが好ましい。カギ型ミシン目のカギは、ミシン目の裂開方向手前側端に内側に向って形成されていることが裂開の逸脱を防止できるので好ましい。拡大部後半の裂開強度はやや強めの９．８０〜１９．６２Ｎにすることが好ましい。拡大部後半の裂開強度が９．８０Ｎ未満であると、内部にシートを収納した収納箱を商品として運搬、販売する過程でミシン目の裂開が生じることがある。一方、拡大部後半の裂開強度が１９．６２Ｎを超えると裂開のミシン目からの逸脱が生じ易い。上記理由により、拡大部の裂開強度は１６．６７〜１９．６２Ｎが特に好ましい。拡大部後半におけるカギ型ミシン目は、Ｔが２±０．５ｍｍ、Ｃが７±０．７ｍｍであることが好ましい。カギの長さは３±１ｍｍが好ましい。
【００４７】
遷移部においては、θが０から３０°で裂開方向とミシン目接線とがほぼ同方向になる。このため、裂開がミシン目から逸れることは少なく、図１４に示した形状の二重ミシン目とすることが好ましい。二重ミシン目は、内側にカット長の長いミシン目、外側にカット長の短いミシン目を形成させることが好ましい。遷移部は、内部にシートを収納した収納箱を商品として運搬、販売する過程でミシン目の裂開が最も生じ易い箇所であり、ミシン目の裂開強度は最も強めの１１．７６〜２４．５２Ｎとすることが好ましい。遷移部の裂開強度が１１．７６Ｎ未満であると、内部にシートを収納した収納箱を商品として運搬、販売する過程でミシン目の裂開が生じることがある。一方、遷移部の裂開強度が２４．５２Ｎを超えると裂開のミシン目からの逸脱が生じることがある。上記理由により、遷移部の裂開強度は裂開強度１８．６３〜２２．５６Ｎが特に好ましい。遷移部における二重ミシン目は、Ｔが１．５±０．５ｍｍ、Ｃが３±０．３ｍｍ、Ｔｏが３±０．３ｍｍ、Ｃｏが１．５±０．２ｍｍであることが好ましい。
【００４８】
縮小部においては、θが６０〜８０°程度でθが大きい。また裂開方向に開口部の幅が縮小するので裂開がミシン目から最も逸れ易く、図１５に示した形状のカギ型ミシン目として逸れを防ぐことが好ましい。カギ型ミシン目のカギは、ミシン目の裂開方向手前側端に外側に向って形成されていることが裂開の逸脱を防止できるので好ましい。縮小部の裂開強度は、強すぎると裂開に逸脱が生じるので、裂開強度はやや弱めの８．８２〜１４．７１Ｎにすることが好ましい。縮小部の裂開強度が８．８２Ｎ未満であると、内部にシートを収納した収納箱を商品として運搬、販売する過程でミシン目の裂開が生じることがある。一方、縮小部の裂開強度が１４．７１Ｎを超えると裂開のミシン目からの逸脱が生じることがある。上記理由により、縮小部の裂開強度は裂開強度８．８２〜１４．７１Ｎが特に好ましい。縮小部におけるカギ型ミシン目は、Ｔが２±０．５ｍｍ、Ｃが７±０．７ｍｍであることが好ましい。カギの長さは３±１ｍｍが好ましい。
【００４９】
ヒンジ部は、折り曲げ易く裂開しない程度のものとするため、Ｔが３〜１２ｍｍ、Ｃが３〜１２ｍｍ、（タイ：カット比（Ｔ：Ｃ）１：１）の一重ミシン目であることが好ましい。
【００５０】
更に、本発明の他の例を詳細に説明する。
【００５１】
図１６は、本発明のシート収納箱の上面形状の一例を示す平面図である。図１６で、１１は菱形形状のシートの取出用長穴開口部、２５はヒンジ部、２７は開口蓋、６１は開口部の摘み部、６６は裂開用ミシン目である。
【００５２】
図１７は、本発明のシート収納箱の上面形状の更に他の例を示す平面図である。図１７で、１１は菱形形状のシートの取出用長穴開口部、２５はヒンジ部、２７は開口蓋、６１は開口部の摘み部、６６は裂開用ミシン目である。
【００５３】
本発明におけるシートは不織布シートであることが好ましい。不織布シートは、例えば、ポリオレフィン繊維やポリエステル繊維とレーヨン繊維とを構成成分として含むものであることが、シートを清掃用に用いた際に、清掃機能が良好となるため好ましい。
【００５４】
本発明において、収納箱の材質は、紙であることが好ましい。特に、厚みが０．２〜１．０ｍｍ（米坪が２００〜６００ｇ／ｍ2 ）の板紙であることが好ましい。収納箱の外側には、印刷が施されていても良い。
【００５５】
（裂開強度）
収納箱を水平な面に設置し、収納箱上面に施された裂開用ミシン目から内側に向って１ｃｍ離れた箇所（開口蓋となる箇所）に、上方から底面の断面積が１．７７ｃｍ2 の円柱を押しあて垂直に荷重を加え、ミシン目が裂開を開始した際の荷重をミシン目の垂直荷重による裂開強度（単位：Ｎ）とする。測定箇所は、収納箱上面の拡大部前半、拡大部後半、遷移部及び縮小部の各部において、各部裂開方向に向かった中央部とした。また、各部について開口蓋短軸の左右各１箇所づつ裂開強度を測定し、その測定値の平均を各部の平均裂開強度とする。
【００５６】
本発明において、シートは、シート同士の滑り角度試験法における滑り角度（以下、単に『滑り角度』と略記する）が３０度以上のものであることが好ましい。本発明における不織布シートの滑り角度上限は試験法における５５度であることが好ましい。滑り角度が５５度を超えると、収納箱から不織布シートを１枚ずつ取出そうとした際に、不織布シートが２枚以上連なって取出されてしまうことがある。一方、不織布シートの滑り角度が３０度未満であると、不織布シートを清掃用に用いた際に、清掃機能が不足することがある。
【００５７】
尚、本発明におけるシートの滑り角度は、ＪＩＳ  Ｐ  ８１７４（１９９４）の紙及び板紙の摩擦係数測定方法に準じて、下記に示す方法で測定した。
【００５８】
（１）滑り角度試験機
試験機本体には、水準器を取付けた固定台に平行になるような蝶番で取付けられた傾斜板が装備されている。傾斜板には傾斜角を１度単位で指示できる目盛板がついている。傾斜板の上端には試験片を固定するつかみが取付けられ、下端にはストッパーが付いている。傾斜板の材質は平滑な金属製であり、寸法はおもりの幅より２５ｍｍ以上広く、おもりを１５ｍｍ以上動かせる長さを持っている。
【００５９】
おもりは、長方形の平らな底面を持つ金属製ブロックで、試験片を固定するつかみが付いている。おもりの底面の寸法は、幅６０ｍｍ、長さ１００ｍｍであり、質量は１０００ｇである。おもりの底面にかかる圧力は、１．６４ｋＰａ（１６．７ｇｆ／ｃｍ2 ）である。
【００６０】
（２）試験片
（ａ）試料調製
試料には、試験規格Ａ２９『試験用紙の採取規格』によって採取したものを用いる。全幅試料１枚を流れ方向が平行になるように、ほぼ等間隔に５つ折りにし、その中央部を米坪板で仕切り、試験試料にする。
【００６１】
（ｂ）試験片
試験片供試料から、すきむら・折り目・すき入れ・曲がり・くせ・しわ等異常な部分を避け、正しく縦方向に錘用試験片と平板用試験片とを次の寸法に裁断する。
【００６２】
錘用試験片は、６０ｍｍ×１９０ｍｍとし、縦方向に５枚裁断する。平板用試験片は、１００ｍｍ×２５０ｍｍとし、縦方向に５枚裁断する。
【００６３】
試験回数は１試料につき、縦５回とする。
【００６４】
操作は試験規格Ａ３０『試験用紙の前処理規格』の条件に従い前処理を行った後、標準条件に一致する試験室内で行う。
【００６５】
（３）滑り角度の測定
機器のセッティング
試験機本体の水準器を見ながら４本の調節脚で本体を水平にしてロックナットで固定する。傾斜板を０度の位置に設定する。錘用試験片と平板用試験片とそれぞれ傾斜板及び移動ブロックにセットする。電源を入れ傾斜板を所定の速度で上昇させる。セットした試料間の摩擦が限界になり、移動ブロックが滑り始めると同時に傾斜板の上昇が停止する。この時の傾斜板の角度を指針の指示値で読み取り滑り角度とする。５回の測定値の平均値を不織布シートの滑り角度とする。
【００６６】
上記例においては、不織布シートを用いて本発明を説明したが、これに限らず織布シート（例えば調理用シート）、紙シート（例えば、ティッシュペーパー）の積層体を収納することもできる。
【００６７】
このように、本発明におけるシートは、その表面に凹凸や毛羽立ち（起毛）のある不織布シート、織布シート、紙シート等であり、洗剤や水分を含むものであっても良い。シートが紙シートの場合の滑り角度は４５度以下、好ましくは２０度以上３０度未満であっても良い。滑り角度を４５度以下にすることにより、紙シートが連続的に取出されることを防止できる。特に２０度以上３０度未満とすることにより、紙シートが連続的に取出されることを確実に防止できる。
【図面の簡単な説明】
【００６８】
【図１】本発明のシート収納箱上面の一例を示す平面図である。
【図２】収納されるシートが二つ折の場合のシート取出状態の一例を説明する図である。
【図３】収納されるシートが二つ折の場合のシート取出状態の一例を説明する図である。
【図４】収納されるシートが三つ折の場合のシート取出状態の一例を説明する図である。
【図５】収納されるシートが三つ折の場合のシート取出状態の一例を説明する図である。
【図６】シートが三つ折の場合の収納箱の開口部形状の一例を示す図である。
【図７】シートが三つ折の場合の収納箱の開口部形状の一例を示す図である。
【図８】図１の収納箱１のミシン目を裂開する前の形状の一例を示す平面図である。
【図９】図１の収納箱１のミシン目を裂開して開口蓋をヒンジ部で上方に折返した形状の一例を示す平面図である。
【図１０】図８の収納箱１のｂ−ｂ線に沿った断面図である。
【図１１】収納箱のミシン目の形状の一例を示す平面図である。
【図１２】図１１のＰ部の拡大図である。
【図１３】図１１のＱ部の拡大図である。
【図１４】図１１のＲ部の拡大図である
【図１５】図１１のＳ部の拡大図である。
【図１６】収納箱のミシン目の形状の他の例を示す平面図である。
【図１７】収納箱のミシン目の形状の更に他の例を示す平面図である。
【符号の説明】
【００６９】
１    収納箱
１１    シートの取出用長穴開口部
１３    シート
１５、１７    弧状部分
１９    シート折畳部
２１、２３    切欠部
２５    ヒンジ部
２７    開口蓋
３１、３３、３５及び３７    肩部
４０ａ    収納箱から取出されつつあるシート
４０ｂ    ４０ａの次に取出されるべきシート
５０ａ    収納箱から取出されつつあるシート
５０ｂ    ５０ａの次に取出されるべきシート
６１    摘み部
６３    掛止片
６４    折曲部
６６    裂開用ミシン目
６８    ヒンジ用ミシン目
７９    糊代部
８１    掛止口
ＢＬ    収納箱の長手方向の長さ
ＢＷ    収納箱の幅方向の長さ
ＢＨ    収納箱の高さ
ＣＬ    シート折畳部の長手方向の長さ
ＣＷ    シート折畳部の幅方向の長さ
ＭＬ    開口部の長手方向の最大長さ
ＭＷ    開口部の幅方向の最大長さ
ＳＬ１    切欠部の長手方向長さ
ＳＬ２    切欠部の長手方向長さ
ＤＷ１    切欠部の幅方向長さ
ＤＷ２    切欠部の幅方向長さ
Ｒ    拡大部前半の一部
Ｑ    拡大部後半の一部
Ｒ    遷移部の一部
Ｓ    縮小部の一部
Ｔ    ミシン目タイ部分の長さ
Ｃ    ミシン目カット部分の長さ
Ｔｏ    外側ミシン目タイ部分の長さ
Ｃｏ    外側ミシン目カット部分の長さ
【図１】
2005119728.tif 000003
【図２】
2005119728.tif 000004
【図３】
2005119728.tif 000005
【図４】
2005119728.tif 000006
【図５】
2005119728.tif 000007
【図６】
2005119728.tif 000008
【図７】
2005119728.tif 000009
【図８】
2005119728.tif 000010
【図９】
2005119728.tif 000011
【図１０】
2005119728.tif 000012
【図１１】
2005119728.tif 000013
【図１２】
2005119728.tif 000014
【図１３】
2005119728.tif 000015
【図１４】
2005119728.tif 000016
【図１５】
2005119728.tif 000017
【図１６】
2005119728.tif 000018
【図１７】
2005119728.tif 000019